(57)【要約】【課題】容易な構成で且つ確実に止水することができるデリバリパイプを提供する。【解決手段】酸性水用のデリバリパイプ１１は外管１２と内管１３の二重管で構成され、該二重管の端部に内管１３の外周面と対向するように内周面に凹部１４ａを形成した導入側固定管１４を取り付け、凹部１４ａに第１スリーブ２２を収容した。凹部１４ａは、係合部１８ａの連結管１９が連結される側の側面、導入側支持管１８の内周面、テーパ面１９ｅを含む締結端部１９ｆの端面より形成した。そして、第１雌ねじ１８ｂに第１雄ねじ１９ｃを螺合させることにより、第１スリーブ２２は中心軸方向に縮径され、第１スリーブ２２の内周面と内管１３の外周面とが圧接されるよう構成した。【選択図】      図１
2005121096.tif 000002
【特許請求の範囲】
【請求項１】
外管と該外管よりも長い内管とからなる二重管として構成され、該二重管の端部に固定管が挿着され、外管の内周面と内管の外周面との間に液体が進入しないようにしたデリバリパイプにおいて、
前記固定管は、前記外管及び内管の外周面に取り付けられる支持管、前記内管の外周面に挿通され、前記支持管と締結される締結端部を備える締付管、並びに前記固定管の内周面において前記内管の外周面と対向するように前記支持管の内周面と前記締付管の締結端部の端面とにより形成される凹部に収容され、且つ前記内管の外周面に挿通されるスリーブから構成され、
前記締付管の締結端部は、該端部の内周面が先端ほど拡径されたテーパ面を有し、該テーパ面は、締付管を支持管に締結することにより、前記スリーブと当接されるデリバリパイプ。
【請求項２】
前記スリーブは、前記テーパ面と当接する側の端部において、外周面が先端ほど縮径された形状をなしている請求項１に記載されるデリバリパイプ。
【請求項３】
前記締付管の締結端部の外周面には、雄ねじが螺刻され、前記支持管の締付管と締結される側の端部内周面にはその雄ねじと螺合する雌ねじが螺刻されている請求項１又は請求項２に記載されるデリバリパイプ。
【発明の詳細な説明】
【技術分野】
【０００１】
本発明は、デリバリパイプに係り、詳しくは  外管と内管の二重管から構成され、外管の内周面と内管の外周面の間に液体が進入しないようにしたデリバリパイプに関する。
【背景技術】
【０００２】
従来より、酸性水、アルカリ性水等の液体をタンク等の貯蔵槽から吐出させるための管体として例えば特許文献１に記載されるようなデリバリパイプが知られている。このデリバリパイプは、外管としての金属板を螺旋状に巻いて作成された螺旋管、及び螺旋管と液体との直接の接触を防止するための内管として合成樹脂製のチューブよりなる二重管から構成されている。内管は、外管より長く構成され、その内管及び外管の両端部外周面には固定管がそれぞれ挿着される。また、内管の端部内周面には、外周面に径方向に突設させた突起部を有する固定管が取り付けられている。その突起部の外径は内管の内径より大きく構成されているため、内管の端部内周面に取り付けられた際、内管の外周面を径方向に突出させる。それにより、内管の外周面を固定管の内周面に圧接させ、外管と内管の間に液体が進入しないようにしている。
【特許文献１】特開平１１−３１５９６４号公報（図１）
【発明の開示】
【発明が解決しようとする課題】
【０００３】
ところが、突起部の外径は、内管の内径より大きく構成されているため、固定管を内管の内周面に取り付ける際、突起部が邪魔となり、固定筒を内管に取り付ける作業が面倒であるという問題が生じていた。また、固定筒は内管の内周面に取り付けられるため、液体の水圧により、固定筒の取り付け位置がずれ、外管と内管の間に液体が進入するおそれもあった。
【０００４】
そこで、本発明は、容易に組み立てることができ、且つ確実に止水することができるデリバリパイプを提供することにある。
【課題を解決するための手段】
【０００５】
上記目的を達成するために、請求項１に記載の発明は、外管と該外管よりも長い内管とからなる二重管として構成され、該二重管の端部に固定管が挿着され、外管の内周面と内管の外周面との間に液体が進入しないようにしたデリバリパイプにおいて、前記固定管は、前記外管及び内管の外周面に取り付けられる支持管、前記内管の外周面に挿通され、前記支持管と締結される締結端部を備える締付管、並びに前記固定管の内周面において前記内管の外周面と対向するように前記支持管の内周面と前記締付管の締結端部の端面とにより形成される凹部に収容され、且つ前記内管の外周面に挿通されるスリーブから構成され、前記締付管の締結端部は、該端部の内周面が先端ほど拡径されたテーパ面を有し、該テーパ面は、締付管を支持管に締結することにより、前記スリーブと当接されるように構成されている。
【０００６】
請求項２に記載の発明は、請求項１に記載の発明において、前記スリーブは、前記テーパ面と当接する側の端部において、外周面が先端ほど縮径された形状をなしている。
請求項３に記載の発明は、請求項１又は請求項２に記載の発明において、前記締付管の締結端部の外周面には、雄ねじが螺刻され、前記支持管の締付管と締結される側の端部内周面にはその雄ねじと螺合する雌ねじが螺刻されている。
【発明の効果】
【０００７】
本発明によれば、容易な構成で且つ確実に止水することができるデリバリパイプを提供することができる。
【発明を実施するための最良の形態】
【０００８】
以下、本発明を酸性水用のデリバリパイプに具体化した一実施形態を図１〜図３にしたがって説明する。
図１に示されるように酸性水用のデリバリパイプ１１は、外管１２に内管１３が挿通された二重管として構成される。外管１２は、歪曲自在な金属製の螺旋管である。内管１３は、耐薬品性の合成樹脂であるポリプロピレン樹脂により成形され、両端部に導入側端面１３ａと吐出側端面１３ｂを有している。内管１３は、外管１２より長く、導入側端面１３ａと吐出側端面１３ｂは外管１２の外部に位置している。二重管の両端には、外管及び内管の外周面に挿着される導入側固定管１４、吐出側固定管１５がそれぞれ取り付けられている。
【０００９】
導入側固定管１４は、合成樹脂製で外管１２及び内管１３の外周面に対向するように取り付けられる導入側支持管１８、その端部が内管１３の端部外周面と前記導入側支持管１８の端部内周面との間に挿入されることにより内管１３及び導入側支持管１８と連結する締付管としての連結管１９、並びに合成樹脂製の第１スリーブ２２より構成されている。
【００１０】
導入側支持管１８には、その軸方向における内周面中央部に径方向に突出し、断面形状が山型且つ台形である係合部１８ａが設けられ、該係合部１８ａから連結管１９と連結する側の端部にわたる内周面に第１雌ねじ１８ｂが螺刻されている。連結管１９は、導入側支持管１８と締結される締結端部１９ｆ及び図示しない酸性水を貯蔵するタンク開口部と連結される連結端部１９ｇを有し、締結端部１９ｆ側の内周面に拡径部１９ａが形成されている円筒体である。連結管１９の軸方向における中央部外周面には、径方向に突出され、多角形状に成形されている把持部１９ｂが設けられている。連結管１９両端の外周面には、前記第１雌ねじ１８ｂと螺合する第１雄ねじ１９ｃ、及び図示しない酸性水を貯蔵するタンク開口部に螺刻されている雌ねじと螺合される第２雄ねじ１９ｄがそれぞれ螺刻されている。連結管１９の締結端部１９ｆ側の内周面には、先端ほど拡径されたテーパ状のテーパ面１９ｅが形成されている。
【００１１】
吐出側固定管１５は、合成樹脂製で外管１２及び内管１３の外周面に対向するように取り付けられる吐出側支持管２０、その端部が内管１３の端部外周面と前記吐出側支持管２０の端部内周面との間に挿入されることにより内管１３及び吐出側支持管２０と連結する締付管としての先端ノズル２１、並びに合成樹脂製の第２スリーブ２３より構成されている。
【００１２】
吐出側支持管２０は、その軸方向における内周面中央部に径方向に突出し、断面形状が山型且つ台形である係合部２０ａが設けられ、該係合部２０ａから先端ノズル２１と連結する側の端部にわたる内周面に第２雌ねじ２０ｂが螺刻されている。先端ノズル２１は、吐出側支持管２０と締結される締結端部２１ｄ及び酸性水を吐出する吐出口２１ｅを有し、軸方向における中央部内周面には、縮径部２１ａが形成されている円筒体である。先端ノズル２１の締結端部２１ｄ側の外周面には、前記第２雌ねじ２０ｂと螺合する第３雄ねじ２１ｂが螺刻されている。先端ノズル２１の締結端部２１ｄの内周面には、先端ほど拡径されたテーパ状のテーパ面２１ｃが形成されている。
【００１３】
導入側固定管１４、吐出側固定管１５の内周面には、それぞれ内管１３の外周面と対向するように凹部１４ａ，１５ａが形成されている。凹部１４ａは係合部１８ａの連結管１９が連結される側の側面、導入側支持管１８の内周面、テーパ面１９ｅを含む締結端部１９ｆの端面より形成されている。凹部１５ａは係合部２０ａの先端ノズル２１が連結される側の側面、吐出側支持管２０の内周面、テーパ面２１ｃを含む締結端部２１ｄの端面より形成されている。
【００１４】
第１スリーブ２２は、両端の外周面が先端ほど縮径された形状で、中心軸線を含む断面の形状が円弧状をなしている。第１スリーブ２２は、内管１３の導入側の端部外周面に挿通され、凹部１４ａに収容されている。同様に、第２スリーブ２３は、両端の外周面が先端ほど縮径された形状で、中心軸線を含む断面の形状が円弧状をなしている。第２スリーブ２３は、内管１３の吐出側の端部外周面に挿通され、凹部１５ａに収容されている。
【００１５】
次に、酸性水用のデリバリパイプ１１の作用について説明する。
まず、図２（ａ）に示すように、外管１２の両端部に導入側支持管１８及び吐出側支持管２０をそれぞれ挿入させ、係合部１８ａ及び係合部２０ａを外管１２の端部に当接させる。外管１２の外周面と導入側支持管１８及び吐出側支持管２０の内周面との接触面は、接着剤により固定される。次に、図２（ｂ）に示すように、外管１２、導入側支持管１８及び吐出側支持管２０の内部に内管１３が挿入される。そして、外管１２内に挿入された内管１３の両端外周面に第１スリーブ２２及び第２スリーブ２３がそれぞれ挿通される。
【００１６】
次に、図２（ｃ）に示すように、導入側支持管１８の第１雌ねじ１８ｂに連結管１９の第１雄ねじ１９ｃを螺合させる。そして、連結管１９の拡径部１９ａに内管１３の導入側端部が挿入されるとともに、導入側端面１３ａが拡径部１９ａの端部に当接される。それと同時に凹部１４ａが形成され、その内部に第１スリーブ２２が収容される。そのとき第１スリーブ２２の一方の端部外周面が、連結管１９のテーパ面１９ｅと当接され、他方の端部外周面が、係合部１８ａの連結管１９が連結される側の側面と当接される。そして、第１雌ねじ１８ｂに第１雄ねじ１９ｃをさらにねじ込むと、第１スリーブ２２の端部外周面がテーパ面１９ｅ及び係合部１８ａにさらに強く当接され、第１スリーブ２２に中心軸方向へ縮径される力が作用する。そして、第１スリーブ２２の内周面は内管１３の外周面に圧接される。同様に、吐出側支持管２０の第２雌ねじ２０ｂに先端ノズル２１の第３雄ねじ２１ｂを螺合させる。そして、先端ノズル２１の縮径部２１ａに内管１３の吐出側端面１３ｂを当接させる。それと同時に凹部１５ａが形成され、その内部に第２スリーブ２３が収容される。そのとき第２スリーブ２３の一方の端部外周面が、先端ノズル２１のテーパ面２１ｃと当接され、他方の端部外周面が、係合部２０ａの先端ノズル２１が連結される側の側面と当接される。そして、第２雌ねじ２０ｂを第３雄ねじ２１ｂをさらにねじ込むと、第２スリーブ２３の端部外周面が、テーパ面２１ｃ及び係合部２０ａにさらに強く当接され、第２スリーブ２３に中心軸方向に縮径される力が作用する。そして、第２スリーブ２３の内周面と内管１３の外周面とが圧接される。
【００１７】
最後に、酸性水用のデリバリパイプ１１は図示しない酸性水貯蔵タンクの吐出口に形成された雌ねじに第２雄ねじ１９ｄを把持部１９ｂを使用し螺合させることにより、酸性水貯蔵タンクの吐出口に固定される。そして、図１に示されるように、矢印Ａの方向から酸性水が内管１３内に導入され、矢印Ｂの方向から吐出される。
【００１８】
酸性水用のデリバリパイプ１１の使用時において、止水構造により内管１３の外周面と連結管１９の内周面の間に侵入した酸性水は、第１スリーブ２２の内周面と内管１３の外周面の間に進入することはなく、また、第１スリーブ２２の外周面とテーパ面１９ｅ及び係合部１８ａの間に進入することもない。同様に、酸性水は、第２スリーブ２３の内周面と内管１３の外周面の間に進入することはなく、また、第２スリーブ２３の外周面とテーパ面２１ｃ及び係合部２０ａの間に進入することもない。したがって、外管１２と内管１３の間に酸性水が浸入することはない。
【００１９】
本実施形態の酸性水用のデリバリパイプ１１によれば、以下のような効果を得ることができる。
（１）本実施形態では、導入側固定管１４の内周面に内管１３の外周面と対向するように凹部１４ａを形成し、凹部１４ａに内管１３の導入側の端部外周面に挿通される第１スリーブ２２を収容させた。凹部１４ａは係合部１８ａの連結管１９が連結される側の側面、導入側支持管１８の内周面、テーパ面１９ｅを含む締結端部１９ｆの端面より形成した。そして、第１雌ねじ１８ｂに第１雄ねじ１９ｃをねじ込むことにより、第１スリーブ２２は中心軸方向に縮径され、第１スリーブ２２の内周面と内管１３の外周面とが圧接されるよう構成した。したがって、容易な構成で且つ確実に外管１２と内管１３の間に酸性水の浸入を防止することができる。
【００２０】
（２）本実施形態では、第１スリーブ２２の両端の外周面を先端ほど縮径された形状に構成した。したがって、第１雌ねじ１８ｂに第１雄ねじ１９ｃをねじ込むと、第１スリーブ２２の先端部がテーパ面１９ｅと内管１３外周面との境界方向により一層侵入しようとするため、テーパ面１９ｅと第１スリーブ２２の外周面との圧接力及び第１スリーブ２２の先端部における中心軸方向へ縮径力を増大させることができる。つまり、さらに確実に外管１２と内管１３の間に酸性水の浸入を防ぐことができる。また、スリーブの外周面とテーパ面１９ｅ及び係合部１８ａの連結管１９が連結される側の側面との接触面積を増大させることにより、止水効果を高めることができる。
【００２１】
（３）本実施形態では、導入側支持管１８の第１雌ねじ１８ｂに連結管１９の第１雄ねじ１９ｃを螺合させ、吐出側支持管２０の第２雌ねじ２０ｂに先端ノズル２１の第３雄ねじ２１ｂを螺合させた。したがって、さらに容易に酸性水用のデリバリパイプ１１を組み立てることができる。
【００２２】
（４）本実施形態では、内管１３を引張り強さ及び弾性率が高い特性を有するポリプロピレンにより成形した。したがって、酸性水用のデリバリパイプ１１を曲げたとき内管１３が伸縮することにより、内管１３と外管１２との位置ずれ、内管１３とスリーブとの当接面における隙間の発生を防止することができるとともに、繰り返しの曲げ及び捻れ等によるひび割れの発生を抑制することができる（折曲げ疲労に強い）。
【００２３】
なお、上記実施形態は以下のように変更してもよい。
・上記実施形態では、内管１３をポリプロピレンにより成形した。しかしながら、ポリプロピレン以外の塩化ビニル、ポリエチレン、フッ素樹脂等の耐薬品性の熱可塑性樹脂であってもよい。
【００２４】
・上記実施形態では、第１スリーブ２２及び第２スリーブ２３を合成樹脂により成形した。しかしながら、合成樹脂以外のシリコンゴム、フッ素ゴム等のゴム等により構成してもよい。かかる構成により、スリーブ内周面と内管１３の外周面とをさらに密着させることができる。  
【００２５】
・第１スリーブ２２及び第２スリーブ２３は、両端部のうちテーパ面１９ｅ，２１ｃと当接する側のみ縮径された形状を形成しても良い。また、中心軸線を含む断面の形状が円弧状だけでなく、三角形、台形等であってもよい。また、第１スリーブ２２及び第２スリーブ２３は、端部外周面が先端ほど縮径された形状でなくてもよく、筒体等であってもよい。
【００２６】
・上記実施形態では、外管１２の両端に導入側支持管１８及び吐出側支持管２０をそれぞれ接着により固定した。しかしながら、外管１２の両端外周面に雄ねじを螺刻し、導入側支持管１８及び吐出側支持管２０の内周面に雌ねじを螺刻し、螺合により固定してもよい。かかる構成により、接着剤を節約することができるとともに容易に外管１２の両端に導入側支持管１８及び吐出側支持管２０を固定することができる。
【００２７】
・上記実施形態では、外管１２及び内管１３の二重管で構成される酸性水用のデリバリパイプに適用した。しかしながら、多重管であって、各管の間に液体の進入を抑制する目的のものであれば何れの多重管に適用してもよい。
【００２８】
次に、上記実施形態及び別例から把握できる技術的思想について、それらの効果とともに以下に追記する。
（ａ）前記各請求項に記載されるデリバリパイプにおいて、前記支持管には内周面に突出し、断面形状が山型且つ台形である係合部が設けられ、凹部は係合部の締付管が締結される側の側面、支持管の内周面、テーパ面を含む締結端部の端面より形成し、スリーブの両端の外周面を先端ほど縮径された形状に構成したデリバリパイプ。したがって、この（ａ）に記載の発明によれば、より一層確実に止水することができる。
【００２９】
（ｂ）前記各請求項に記載されるデリバリパイプにおいて、前記スリーブはシリコンゴムにより成形されているデリパリパイプ。したがって、この（ｂ）に記載される発明によれば、スリーブの内周面が内管の外周面に密着し、より一層確実に止水することができる。
【図面の簡単な説明】
【００３０】
【図１】デリバリパイプの断面図。
【図２】デリバリパイプの製造工程を示す工程図。（ａ）は、外管に導入側支持管及び吐出側支持管をそれぞれ接着固定する行程を示す。（ｂ）は、内管を外管内に挿入させ、内管の両端にスリーブをそれぞれ挿通させる行程を示す。（ｃ）は、導入側支持管及び吐出側支持管に連結管及び先端ノズルをそれぞれ取り付ける行程を示す。
【図３】デリバリパイプの吐出側固定管の分解斜視図。
【符号の説明】
【００３１】
１１…酸性水用のデリバリパイプ、１２…外管、１３…内管、１４…導入側固定管、１４ａ…凹部、１５…吐出側固定管、１５ａ…凹部、１８……導入側支持管、１９…締付管としての連結管、１９ｅ…テーパ面、２０…吐出側支持管、２１…締付管としての先端ノズル、２１ｃ…テーパ面、２２…第１スリーブ、２３…第２スリーブ
【図１】
2005121096.tif 000003
【図２】
2005121096.tif 000004
【図３】
2005121096.tif 000005